(57)【特許請求の範囲】
【請求項１】
投入口に投入された非接触記憶媒体を、回収部に回収する非接触記憶媒体回収ユニットにおいて、
前記投入口と前記回収部とを結ぶ回収路における前記非接触記憶媒体の通過を規制する第１の規制部材を開閉する第１の開閉部と、
前記回収路で前記第１の規制部材よりも前記投入口側から前記回収部側まで連続して拡がる無線通信領域を有する通信部と、
前記通信部と前記非接触記憶媒体との通信により、この非接触記憶媒体を前記回収部に回収するかどうかを判定する判定部と、を備え、
前記第１の開閉部は、前記判定部が前記非接触記憶媒体を前記回収部に回収すると判定したとき、前記第１の規制部材を開し、
前記判定部は、前記第１の開閉部が第１の規制部材を開した後において、前記非接触記憶媒体と前記通信部との通信が途切れた場合、この非接触記憶媒体の前記回収部への回収を中止すると判定する、非接触記憶媒体回収ユニット。
【請求項２】
前記通信部は、前記無線通信領域で前記投入口側に位置する前記非接触記憶媒体に対して、前記非接触記憶媒体に記憶されている媒体情報の読み取りと更新とを行う、請求項１に記載の非接触記憶媒体回収ユニット。
【請求項３】
前記第１の規制部材よりも前記回収部側に配置し、前記回収路における前記回収部への前記非接触記憶媒体の通過を規制する第２の規制部材を開閉する第２の開閉部を備え、
前記第２の開閉部は、前記判定部が前記非接触記憶媒体の前記回収部への回収を中止すると判定したとき、前記第２の規制部材を閉する、請求項１または２に記載の非接触記憶媒体回収ユニット。
【請求項４】
前記第２の開閉部は、前記第２の規制部材の開閉により、前記非接触記憶媒体を前記回収部、または返却口に誘導する、請求項３に記載の非接触記憶媒体回収ユニット。
【請求項５】
前記回収路において、前記投入口に投入された前記非接触記憶媒体が、第１の規制部材による規制位置を通過したことを検出する通過検出部を備え、
前記第１の開閉部は、前記通過検出部で前記非接触記憶媒体が前記第１の規制部材による規制位置を通過したことが検出されると、前記第１の規制部材を閉する、請求項１〜４のいずれかに記載の非接触記憶媒体回収ユニット。
【請求項６】
前記投入口から前記第１の規制部材までの長さは、前記投入口における前記非接触記憶媒体の投入方向の長さの１／５〜１／２である、請求項１〜５のいずれかに記載の非接触記憶媒体回収ユニット。
【請求項７】
請求項１〜６のいずれかに記載の非接触記憶媒体回収ユニットを備え、
前記通信部が前記非接触記憶媒体との通信により取得した媒体情報に基づいて、通路における利用者の通行可否を判定するゲート装置。
【発明の詳細な説明】
【技術分野】
【０００１】
この発明は、無線通信を行う非接触記憶媒体を回収する非接触記憶媒体回収ユニット、および、この非接触記憶媒体回収ユニットを備えるゲート装置に関する。
【背景技術】
【０００２】
従来の駅務システムでは、朝夕のラッシュアワーなどに多数の旅客が改札処理を受けるため、磁気券の搬送能力が高い自動改札機が必要である。そのような自動改札機は非常に高価で、保守業務に手間や労力が必要である。そこで、保守業務の省力化や搬送機構の簡略化を目的に、磁気券に代えてコイン状の無線トークンの利用が模索されている。
【０００３】
無線トークンは高価であるため、使用後には回収して再利用することが望まれる。そのためには、自動改札機で、改札処理を行った無線トークンを回収すべきものなのか判定し、回収すべきと判定した無線トークンを筐体内に回収するように構成する必要がある。そのような自動改札機では、使用済みの無線トークンを確実に回収することが望まれるが、無線トークンの改札処理後にその無線トークンとは別のコインなどが自動改札機に投入される恐れがある。それを防ぐためには、筐体内に回収する無線トークンが、改札処理に利用されたものであるかどうかを確認する必要がある（例えば特許文献１，２参照。）。
【先行技術文献】
【特許文献】
【０００４】
【特許文献１】特開２００４−２２０１１６号公報
【特許文献２】特開２００４−１５１９３６号公報
【発明の概要】
【発明が解決しようとする課題】
【０００５】
特許文献１は、筐体外で無線トークンと通信する第１のリーダライタと、回収のために筐体内で無線トークンと通信する第２のリーダライタとを設け、２つのリーダライタで同じ無線トークンの識別情報を検出した場合に無線トークンを回収し、同一の識別情報が検出できない場合（筐体内で通信できない場合を含む。）に無線トークンを返却する構成であった。２つのリーダライタの通信領域は、干渉を防ぐために、重ならないように形成している。このため、無線トークンの通信特性のバラツキや、第１のリーダライタが形成する通信領域の磁場と、第２のリーダライタが形成する通信領域の磁場との相違等によって、第１のリーダライタが筐体外で通信した無線トークンであっても、筐体内に取り込んだときに、第２のリーダライタで通信できずに、この無線トークンを回収せず、返却することがあった。利用者は、無線トークンが返却されると、返却された無線トークンを用いて再度改札処理を行うことになる。したがって、利用者の操作性を低下させるとともに、改札処理の効率を低下させるという問題があった。
【０００６】
また、特許文献２は、１つのリーダライタで筐体外部と筐体内部のそれぞれに通信領域を形成する構成であるが、特許文献１と同様に、筐体外で無線トークンと通信する通信領域と、筐体内で無線トークンと通信する通信領域と、が重ならないように形成する構成である。したがって、特許文献２も、筐体外で通信した無線トークンであっても、筐体内に取り込んだときに、通信できずに、この無線トークンを回収せず、返却することがあった。
【０００７】
そこで本発明の目的は、非接触記憶媒体の回収を適正に行うことによって、処理効率の低下を抑えるとともに、利用者の操作性の低下を抑えた非接触記憶媒体回収ユニット、および、ゲート装置を提供することにある。
【課題を解決するための手段】
【０００８】
この非接触記憶媒体回収ユニットは、投入口に投入された非接触記憶媒体を、回収部に回収する。投入口と回収部とは回収路によって結ばれている。投入口に投入された非接触記憶媒体は、この回収路を通って回収部に回収される。第１の開閉部は、投入口と回収部とを結ぶ回収路における非接触記憶媒体の通過を規制する第１の規制部材を開閉する。例えば、投入口から第１の規制部材までの長さは、投入口における非接触媒体の投入方向の長さの１／５〜１／２である、
また、通信部は、第１の規制部材を挟んで投入口側、および回収部側に渡って非接触記憶媒体との無線通信領域を形成する。したがって、通信部は、投入口から投入され、第１の規制部材が受けている非接触記憶媒体との通信、および第１の規制部材による規制位置を通過した非接触記憶媒体との通信が１つの通信領域内で行える。
【０００９】
判定部は、通信部と非接触記憶媒体との通信により、この非接触媒体を回収部に回収するかどうかを判定する。第１の開閉部は、判定部が非接触媒体を回収部に回収すると判定したとき、第１の規制部材を開する。
【００１０】
通信部は、第１の規制部材を開した後に、同じ無線通信領域で非接触記憶媒体と通信するので、この非接触記憶媒体との無線通信が途切れることがない。したがって、判定部が回収部に回収すると判定した非接触記憶媒体を、通信不良によって回収を中止し、返却するという事態が発生するのを防止でき、処理効率の低下が抑えられるとともに、利用者の操作性の低下が抑えられる。
【００１１】
また、判定部は、回収部に回収すると判定した後に、非接触記憶媒体が交換される不正に対応するため、第１の開閉部が第１の規制部材を開した後に、通信部と非接触媒体との通信が途切れた場合、この非接触記憶媒体の回収部への回収を中止すると判定すればよい。この場合には、第１の規制部材を通過した媒体（交換された媒体）を、回収部ではなく、返却口に誘導すればよい。
【００１２】
また、通過検出部が、回収路において、投入口に投入された非接触記憶媒体が、第１の規制部材による規制位置を通過したことを検出すると、第１の規制部材を閉するように構成してもよい。
【発明の効果】
【００１３】
この発明によれば、非接触記憶媒体の回収が適正に行えるので、回収にかかる処理効率の低下が抑えられるとともに、利用者の操作性の低下が抑えられる。
【図面の簡単な説明】
【００１４】
【図１】本発明の第１の実施形態に係る非接触記憶媒体回収ユニットを備える自動改札機の、改札通路に沿った要部断面図である。
【図２】図１の非接触記憶媒体回収ユニットの改札通路に垂直な要部断面図である。
【図３】図１の自動改札機の備える制御部での制御による各部の状態移行について説明する図である。
【図４】図１の自動改札機の備える制御部での制御による各部の状態移行について説明する図である。
【図５】図１の自動改札機の備える制御部での制御による各部の状態移行について説明する図である。
【図６】図１の自動改札機の備える制御部での制御による各部の状態移行について説明する図である。
【発明を実施するための形態】
【００１５】
以下、この発明の実施形態について説明する。
【００１６】
図１は、本実施形態に係る非接触記憶媒体回収ユニットを備える自動改札機１の要部の模式構成を示す改札通路に沿った断面図である。また図２は、同模式構成の改札通路に垂直な断面図（改札通路の幅方向の断面図）である。これらの図では、自動改札機１における、無線トークン１００を回収する機構の周辺を示している。
【００１７】
なお、以下の説明では、無線トークン１００をＲＦＩＤのＩＣチップ１０１を内蔵し、直径約３０ｍｍで厚み約２ｍｍのコイン状とする。ＩＣチップ１０１は、メモリに識別情報を含む媒体情報を記憶する。媒体情報は改札処理における通行判定に利用されるものであり、識別情報は無線トークン１００を回収すべきものか否かの判定に利用されるものである。無線トークン１００がこの発明で言う非接触記憶媒体に相当する。
【００１８】
自動改札機１は筐体２、シャッタ３、回収セレクタ４、リーダライタ５、光電センサ６Ａ，６Ｂ，６Ｃ、および、制御部７を備える。
【００１９】
筐体２は、投入口２Ａ、上部媒体路２Ｂ、下部媒体路２Ｃ、および、側部媒体路２Ｄを備える。
【００２０】
投入口２Ａは無線トークン１００が投入される筺体上面に設けた開口である。投入口２Ａは、改札通路に沿った方向の長さが、無線トークン１００の直径の１倍を超えて２倍未満であれば好適であり、ここでは５０ｍｍとする。また改札通路に対して垂直な方向の幅が、無線トークン１００の厚みの１倍を超えて２倍未満であれば好適であり、ここでは３ｍｍとする。投入口２Ａをこのような寸法とすることにより、無線トークン１００と同時に他の媒体が投入されることを防ぐことができる。
【００２１】
シャッタ３は、投入口２Ａの近傍に開閉自在に設けられ、通常は閉状態にされていて無線トークン１００を回収する際のみ一時的に開状態にされる。シャッタ３がこの発明で言う第１の規制部材に相当する。このシャッタ３は、投入口２Ａからの距離が無線トークン１００の直径の１／５〜１／２の範囲であれば好適であり、ここでは１５ｍｍとする。シャッタ３をこのような位置とする。無線トークン１００が改札処理を受ける際には、投入口２Ａからシャッタ３までの領域に無線トークン１００の一部が挿入され、その状態で無線通信による改札処理がなされる。その際、無線トークン１００が回収すべきと判定されると、シャッタ３が一時的に開状態にされて、無線トークン１００が筐体内に投入されることになる。
【００２２】
上部媒体路２Ｂは、投入口２Ａに連通し、投入口２Ａから垂直に設けられる。また下部媒体路２Ｃは、上部媒体路２Ｂに連通し、上部媒体路２Ｂから垂直に設けられる。この下部媒体路２Ｃは、無線トークン１００を回収するための回収箱（不図示）等に接続される。  側部媒体路２Ｄは本実施形態における分岐路であり、上部媒体路２Ｂの下端部の側方に連通し、そこから斜め下方に設けられる。この側部媒体路２Ｄは無線トークン１００を返却するための返却口（不図示）等に接続される。投入口２Ａから上部媒体路２Ｂ、および下部媒体路２Ｃを介して回収箱に至る経路が、この発明で言う回収路に相当する。また、回収箱が、この発明で言う回収部に相当する。
【００２３】
これらの上部媒体路２Ｂ、下部媒体路２Ｃ、および、側部媒体路２Ｄは、改札通路に沿った面での幅が、無線トークン１００の直径の１倍を超えて２倍未満であれば好適であり、ここでは４０ｍｍとする。これにより、各媒体路を通過する無線トークン１００を後述する光電センサ６Ａ〜６Ｃで確実に検出することができる。また、側部媒体路２Ｄは上部媒体路２Ｂから斜め下方に傾斜をつけると好適であり、ここでは垂直上方向を基準とした約１２０度の傾斜をつける。側部媒体路２Ｄをこのような構成にすることにより、側部媒体路２Ｄにて無線トークン１００をスムーズに通過させることができる。
【００２４】
回収セレクタ４は、この発明で言う第２の規制部材に相当する。回収セレクタ４は、上部媒体路２Ｂ、下部媒体路２Ｃ、および側部媒体路２Ｄの境界となる位置の近傍を支点に、下部媒体路２Ｃまたは側部媒体路２Ｄの一方を閉じ、他方を開くように揺動自在に設けられる。通常、回収セレクタ４は下部媒体路２Ｃを開き、側部媒体路２Ｄを閉じて無線トークン１００を回収する状態（以下、回収状態と称する。）とされ、不適格な媒体が検出された場合のみ、下部媒体路２Ｃを閉じ、側部媒体路２Ｄを開いて無線トークン１００を返却する状態（以下、返却状態）とされる。
【００２５】
なお、回収セレクタ４は、シャッタ３からの支点の距離が無線トークン１００の直径の１倍を超えるように構成するとともに、垂直上方向を基準として９０度未満の角度まで揺動するように構成すると好適である。回収セレクタ４をこのような構成とすることにより、無線トークン１００の側部媒体路２Ｄへの誘導をスムーズにすることができる。ここではシャッタ３から４５ｍｍの位置に回収セレクタ４の支点を設け、回収セレクタ４が垂直上方向を基準に約６０度の角度まで揺動するように構成する。
【００２６】
リーダライタ５は、この発明で言う通信部に相当する。リーダライタ５は、無線トークン１００と無線通信するものであり、無線トークン１００のＩＣチップ１０１から識別情報を含む媒体情報を読み取り、ＩＣチップ１０１に媒体情報を更新するための情報を書き込む。このリーダライタ５は、上部媒体路２Ｂに対面する位置に配置し、投入口２Ａの近傍外側から上部媒体路２Ｂの全体に亘り連続する通信領域を形成する。したがって、自動改札機１は、投入口２Ａの近傍に位置する無線トークン１００や、上部媒体路２Ｂを通過する無線トークン１００と通信することができる。
【００２７】
光電センサ６Ａ〜６Ｃは、対向する位置を通過する媒体を検出する。したがって光電センサ６Ａ〜６Ｃの出力信号から媒体位置を把握することができ、光電センサ６Ａ〜６Ｃの出力信号に基づいて適切なタイミングで各部を動作させることができる。光電センサ６Ａは、上部媒体路２Ｂにおけるシャッタ３の下方、ここでは約１５ｍｍ下方の位置に設ける。光電センサ６Ａが、この発明で言う通過検出部に相当する。光電センサ６Ｂは、下部媒体路２Ｃにおける回収セレクタ４の下方、ここでは回収セレクタ４の支点から約１５ｍｍ下方の位置に設ける。光電センサ６Ｃは、側部媒体路２Ｄにおける回収セレクタ４の側方、ここでは上部媒体路２Ｂとの境界から約１５ｍｍ側方の位置に設ける。
【００２８】
制御部７は、リーダライタ５の出力と光電センサ６Ａ〜６Ｃの出力とに基づいて各部を制御する。具体的には、リーダライタ５で無線トークン１００から取得する媒体情報を用いて検札処理および回収判定を実施するとともに、リーダライタ５や光電センサ６Ａ〜６Ｃの出力に基づく動作タイミングでシャッタ３および回収セレクタ４を動作させる。この制御部７が、この発明で言う判定部、第１の開閉部、および第２の開閉部に相当する。
【００２９】
以下に、制御部７の制御について説明する。
まず、無線トークン１００を回収しない場合の制御について説明する。
【００３０】
図３は、この場合の、制御部７の制御による各部の動作状態の移行を説明する図である。
通常時、制御部７は投入口２Ａの近傍に設けたシャッタ３を閉状態とし、回収セレクタ４を回収状態とし、リーダライタ５に定期的にポーリングの電波を送信させる。
【００３１】
その状態で、利用者が把持する無線トークン１００が投入口２Ａの近傍に接近すると、ポーリングの電波によって無線トークン１００がパッシブ方式で給電されて起動し、識別情報を無線送信する。リーダライタ５がその識別情報を受信することで、制御部７は無線トークン１００が投入口２Ａの近傍に位置することを把握し、リーダライタ５に無線トークン１００から媒体情報を読み取らせ、その識別情報の無線トークン１００が回収すべきものであるか否かの判定を行う。ここでは無線トークン１００は回収すべきものでは無いため、制御部７はその判定に基づいてシャッタ３に閉状態を維持させる。
【００３２】
制御部７は、無線トークン１００を回収しない場合の所定の改札情報をリーダライタ５から無線トークン１００に書き込む。そして、無線トークン１００から読み取った媒体情報に基づいて通行判定などの改札処理を実施する。
【００３３】
その後、利用者は無線トークン１００を投入口２Ａの近傍から持ち去り、その利用者の改札処理が終了する。
【００３４】
なお、ここでは投入口２Ａにて通常時にはシャッタ３を閉状態にしておき、無線トークン１００を回収するときに一時的にシャッタ３を開するが、逆に、通常時はシャッタ３を開状態にしておき、無線トークン１００を回収すべきでないと判定したときに、一時的にシャッタ３を閉するようにしてもよい。その場合には、リーダライタ５の通信領域に位置する無線トークン１００が利用者に持ち去られることで、リーダライタ５と無線トークン１００との通信が途切れるので、そのことを条件にしてシャッタ３を再び開するとよい。
【００３５】
次に、無線トークン１００を回収する場合の制御部７の制御について説明する。
【００３６】
図４は、この場合の、制御部７の制御による各部の動作状態の移行を説明する図である。
【００３７】
通常時、制御部７は投入口２Ａの近傍に設けたシャッタ３を閉状態とし、回収セレクタ４を、下部媒体路２Ｃを開く回収状態とし、リーダライタ５に定期的にポーリングの電波を送信させる。
【００３８】
その状態で、利用者が把持する無線トークン１００が投入口２Ａの近傍に接近すると、ポーリングの電波によって無線トークン１００がパッシブ方式で給電されて起動し、識別情報を無線送信する。リーダライタ５がその識別情報を受信すると、リーダライタ５に無線トークン１００から媒体情報を読み取らせ、その識別情報の無線トークン１００が回収すべきものであるか否かの判定を行う。ここでは無線トークン１００は回収すべきものであるため、制御部７はその判定に基づいてシャッタ３を閉状態から開状態に移行させる。
【００３９】
制御部７は、無線トークン１００を回収する場合の所定の改札情報をリーダライタ５から無線トークン１００に書き込む。そして、無線トークン１００から読み取った媒体情報に基づいて通行判定などの改札処理を実施する。
【００４０】
これにより、無線トークン１００は、投入口２Ａから投入されシャッタ３を通過して上部媒体路２Ｂに到達する。制御部７は光電センサ６Ａの出力から無線トークン１００がシャッタ３を通過して上部媒体路２Ｂに到達したことを検出し、シャッタ３を閉状態にする。そして、それと同時にリーダライタ５を定期的にポーリングの電波を送信する状態に移行させる。
【００４１】
すると、上部媒体路２Ｂに位置する無線トークン１００が識別情報を無線送信し、その識別情報をリーダライタ５で受信する。制御部７は、リーダライタ５が受信した識別情報に対して、１度目の無線通信で受信した識別情報と同一であるか否かの判定を行い、識別情報が同一であることを検出する。このようにして、無線トークン１００が移動しても、その存在を捕捉することができる。その後、制御部７は回収セレクタ４をそのまま下部媒体路２Ｃが開く回収状態で維持し、これにより、無線トークン１００を下部媒体路２Ｃに誘導して回収することができる。
【００４２】
このように、シャッタ３を開する前後において、リーダライタ５は、同じ無線通信領域で無線トークン１００と通信するので、この無線トークン１００との無線通信が途切れることがない。したがって、無線トークン１００との通信不良によって、この無線トークン１００の回収を中止し、返却するという事態が発生するのを防止できる。これにより、無線トークン１００の回収にかかる処理効率の低下が抑えられるとともに、利用者の操作性の低下が抑えられる。
【００４３】
次に、不適正な無線トークン１００を利用者等に返却する場合の制御部７の制御について説明する。
【００４４】
図５は、制御部７の制御による各部の動作状態の移行を説明する図である。
通常時、制御部７は投入口２Ａの近傍に設けたシャッタ３を閉状態とし、回収セレクタ４を、下部媒体路２Ｃを開く回収状態とし、リーダライタ５に定期的にポーリングの電波を送信させる。
【００４５】
その状態で、利用者が把持する無線トークン１００が投入口２Ａの近傍に接近すると、ポーリングの電波によって無線トークン１００がパッシブ方式で給電されて起動し、識別情報を無線送信する。リーダライタ５がその識別情報を受信すると、リーダライタ５に無線トークン１００から媒体情報を読み取らせ、その識別情報の無線トークン１００が回収すべきものであるか否かの判定を行う。ここでは無線トークン１００は回収すべきものであるため、制御部７はその判定に基づいてシャッタ３を閉状態から開状態に移行させる。
【００４６】
制御部７は、無線トークン１００を回収する場合の所定の改札情報をリーダライタ５から無線トークン１００に書き込む。そして、無線トークン１００から読み取った媒体情報に基づいて通行判定などの改札処理を実施する。
【００４７】
このとき、不正利用の悪意のある利用者によって、非常に素早い操作で、別の無線トークン１００や、無線トークン１００以外の媒体（硬貨等）を投入口２Ａから投入されると、その不適正な無線トークン１００等がシャッタ３を通過して上部媒体路２Ｂに到達する。制御部７は光電センサ６Ａの出力からその不適正な無線トークン１００がシャッタ３を通過して上部媒体路２Ｂに到達したことを検出し、シャッタ３を閉状態にする。そして、それと同時にリーダライタ５を定期的にポーリングの電波を送信する状態に移行させる。
【００４８】
これにより、上部媒体路２Ｂに位置する不適切な無線トークン１００が識別情報を無線送信し、その識別情報をリーダライタ５が受信する。また、投入された媒体が無線トークン１００でなかった場合には、リーダライタ５と通信できない。制御部７は、リーダライタ５が受信した識別情報に対して、１度目の無線通信で受信した識別情報と同一であるか否かの判定を行い、識別情報が同一ではないことを検出する。リーダライタ５が通信できなかった場合も、識別情報が同一ではないと検出する。そのため、制御部７は回収セレクタ４を駆動して返却状態に移行させる。これにより無線トークン１００等を側部媒体路２Ｄに誘導して利用者等に返却することができ、その利用者に対して無線トークン１００を不正利用したときの改札処理を実施することができる。
【００４９】
次に、通信不良の発生により無線トークン１００を利用者等に返却する場合の制御部７の制御について説明する。
【００５０】
図６は、制御部７の制御による各部の動作状態の移行を説明する図である。
通常時、制御部７は投入口２Ａの近傍に設けたシャッタ３を閉状態とし、回収セレクタ４を回収状態とし、リーダライタ５に定期的にポーリングの電波を送信させる。
【００５１】
その状態で、利用者が把持する無線トークン１００が投入口２Ａの近傍に接近すると、ポーリングの電波によって無線トークン１００がパッシブ方式で給電されて起動し、識別情報を無線送信する。リーダライタ５がその識別情報を受信すると、リーダライタ５に無線トークン１００から媒体情報を読み取らせ、その識別情報の無線トークン１００が回収すべきものであるか否かの判定を行う。ここでは無線トークン１００は回収すべきものであるため、制御部７はその判定に基づいてシャッタ３を閉状態から開状態に移行させる。
【００５２】
制御部７は、無線トークン１００を回収する場合の所定の改札情報をリーダライタ５から無線トークン１００に書き込む。そして、無線トークン１００から読み取った媒体情報に基づいて通行判定などの改札処理を実施する。
【００５３】
これにより、無線トークン１００は、投入口２Ａから投入されシャッタ３を通過して上部媒体路２Ｂに到達する。制御部７は光電センサ６Ａの出力から無線トークン１００がシャッタ３を通過して上部媒体路２Ｂに到達したことを検出し、シャッタ３を閉状態にする。そして、それと同時にリーダライタ５を定期的にポーリングの電波を送信する状態に移行させる。
【００５４】
このとき、無線トークン１００との無線通信において、非常に稀な場合であるがデータの書き込み異常やポーリングの検知異常などの通信不良が発生すると、上部媒体路２Ｂに位置する無線トークン１００から識別情報を受信することができない。そこで制御部７は、一定時間で識別情報を受信することができなければ、回収セレクタ４を駆動して回収セレクタ４を返却状態に移行させる。これにより無線トークン１００を側部媒体路２Ｄに誘導して利用者等に返却することができる。したがって、ごく稀に発生する無線トークン１００の通信不良が生じたときでも、その利用者に対して適正な改札処理を実施することができる。
【００５５】
以上のように各部を動作させることにより、自動改札機１にて、１度の通信で識別情報を時間差で複数回取得して無線トークン１００の一致確認を行うことができる。このため、１つのリーダライタ５のみを用いた簡易な構成で無線トークンを回収または返却できる。その上、識別情報を２度取得する間に通信が途切れることが無いので、無線トークンの起動に要する時間を短縮でき、無線トークンの改札処理を効率的に行える。
さらには、通信領域の干渉や設定制約を抑制でき、通信領域を理想的なものにして利用者のトークン操作性を確保することが容易となる。
また、無線トークン１００の返却が起こりにくくなるため利用者に対して無線トークンを返却するのではなく係員に対して無線トークンを返却するように自動改札機を構成することが可能になる。
【００５６】
なお、以上の説明では、コイン状の無線トークンを例にして説明したが、その他にもカード状など様々な無線トークンであっても本発明は適用することができる。また駅務システムの他の入退場管理装置などのゲート装置に、本発明を適用することもできる。
【符号の説明】
【００５７】
１…自動改札機
２…筐体
２Ａ…投入口
２Ｂ…上部媒体路
２Ｃ…下部媒体路
２Ｄ…側部媒体路
３…シャッタ
４…回収セレクタ
５…リーダライタ
６Ａ，６Ｂ，６Ｃ…光電センサ
７…制御部
１００…無線トークン
【図１】
0005429217.tif 000002
【図２】
0005429217.tif 000003
【図３】
0005429217.tif 000004
【図４】
0005429217.tif 000005
【図５】
0005429217.tif 000006
【図６】
0005429217.tif 000007